(57)【要約】      （修正有）【課題】傘を持ち歩く際の使用者の利便性、安全性、及び環境に配慮した傘ホルダー及び傘ホルダーセットを提供する。【解決手段】両端にそれぞれ第一開口２と第二開口３とを備えた円筒形状のリング本体４を有し、リング本体４の内周面１０には、第一開口２と第二開口３とを結ぶ方向に突条部１１又は溝条部が設けられており、第一開口２に傘を石突側から挿入させるとともに傘の柄の方向にリング本体４を移動させることにより傘の傘布を束ねることが可能な傘ホルダー１である。また、リング本体４の外周面には、一端２４がリング本体４の第一開口２側に接続固定されるとともに他端２５側が第二開口３側に延設され、他端側２５を自由端としたフック２６が設けられたものである。【選択図】図１
0003235299.tif 000002
【実用新案登録請求の範囲】
【請求項１】
両端にそれぞれ第一開口と第二開口とを備えた円筒形状のリング本体を有し、当該リング本体の内周面には、前記第一開口と第二開口とを結ぶ方向に突条部又は溝条部が設けられ、前記第一開口に傘を石突側から挿入させるとともに当該傘の柄の方向に前記リング本体を移動させることにより当該傘の傘布を束ねることが可能な傘ホルダーであって、
前記リング本体の外周面には、一端がリング本体の第一開口側に接続固定されるとともに他端側が第二開口側に延設され、当該他端側を自由端としたフックが設けられたことを特徴とする傘ホルダー。
【請求項２】
前記フックには、上記他端側をリング本体とは反対側に折り返した折り返し部が設けられたことを特徴とする請求項１に記載の傘ホルダー。
【請求項３】
前記リング本体の外周面には、前記フックの対向位置に突出部を備えたことを特徴とする請求項１、または２に記載の傘ホルダー。
【請求項４】
前記突出部は、折り返し部の自由端側の先端位置よりも第一開口側に位置することを特徴とする請求項３に記載の傘ホルダー。
【請求項５】
前記リング本体の第一開口側には、この第一開口の開口端縁に向かって内径が拡径された拡径部を備えるとともに、当該拡径部には、前記突条部又は溝条部の一端が到達するよう形成されたことを特徴とする請求項１、２、３、または４に記載の傘ホルダー。
【請求項６】
前記突条部又は溝条部の一端は、鋭角に形成されたことを特徴とする請求項１、２、３、４、または５に記載の傘ホルダー。
【請求項７】
前記リング本体の第二開口側の内周面には、有底且つ第一開口側に開口した内周凹部が設けられたことを特徴とする請求項１、２、３、４、５、または６に記載の傘ホルダー。
【請求項８】
前記傘ホルダーは、弾性重合体により一体成型されたことを特徴とする請求項１、２、３、４、５、６、または７に記載の傘ホルダー。
【請求項９】
請求項１〜８のいずれか一項に記載の傘ホルダーと、当該傘ホルダーの外周に巻回配置可能な環状弾性部材とを備えたことを特徴とする傘ホルダーセット。
【請求項１０】
前記傘ホルダーに挿通配置可能な傘を備えたことを特徴とする請求項９に記載の傘ホルダーセット。
【考案の詳細な説明】
【技術分野】
【０００１】
本考案は、傘布を束ねて保持可能な傘ホルダー及び傘ホルダーセットに関する。
【背景技術】
【０００２】
傘を濡れた状態で閉じる際には、傘布の表面に備えられた止帯を傘本体に巻き回して当該傘布を束ねた状態を維持するが、傘表面が雨に濡れた状態であるため持ち運びの際に使用者自身、あるいはその周囲が濡れる場合がある。また雨で濡れた傘を店内に持ち込んだ際に、店内の商品が濡れたり床に水滴が落ちて滑りやすくなったりする等の問題が生じやすいものとなる。このような問題を未然に防ぐため、スーパーや百貨店等の店舗出入口には、濡れた傘を入れて持ち歩くための傘袋が備えられている場合がある。しかし、このような傘袋の使用は１度限りであり、客は店から出る際に使用済みの傘袋を専用のごみ箱等に廃棄するため、大量の傘袋がプラスチックごみとなり、環境にとっては悪影響となる。
【０００３】
そこで特許文献１に示す如く、本出願人は先の出願において、水滴が付着した傘を容易に束ねるとともに付着した水滴を傘布から除去可能な傘束ね具を提案している。このような傘束ね具を使用した場合には、濡れた傘布に付着した水滴を即座に除去することができるため、従来の傘袋を必要とせず傘袋のゴミ問題を解消することができる。
【先行技術文献】
【特許文献】
【０００４】
【特許文献１】特許第６４６０３１４号公報
【考案の開示】
【考案が解決しようとする課題】
【０００５】
しかしながら、特に長傘に当該傘束ね具を使用した場合には、傘の丈が長いために雨が降っていない時や店舗内や電車内では手に持って歩くことが煩雑なものとなっていた。即ちこのように傘を持ち歩いた場合には、片手がふさがるためもう片方の手で荷物などを持つ必要がある。そのため、結果的に両手が傘と手荷物とでふさがってしまい、レジでの支払い等、手を使わざるを得ない状況にあっては傘の扱いに困る場合がある。
【０００６】
また傘を手で持ち歩いていると、転倒時などに両手が使えなくなるため危険である上に、手に持った傘の角度によっては周囲の人に傘が当たる危険性もある。その上傘を手に持ち電車に乗った場合には、当該傘を電車内の手すりなどにかけたまま置き忘れてしまうことが以前より頻発していた。そのため、電車内での傘の置き忘れが年間を通じて非常に多くなっており、持ち主が見つからぬまま大量に廃棄処分されているのが実情である。そして、廃棄された傘の処分には多額の費用が掛かるとともに、置き忘れた傘が大量のゴミと化すため、近年のプラスチックごみ増加の一因として環境問題の観点からも改善が求められていた。
【０００７】
そこで、本考案は上述の如き課題を解決しようとするものであって、傘を持ち歩く際の使用者の利便性、安全性、及び環境に配慮した傘ホルダー及び傘ホルダーセットを提供することを課題とするものである。
【課題を解決するための手段】
【０００８】
本考案は上述の如き課題を解決するため、両端にそれぞれ第一開口と第二開口とを備えた円筒形状のリング本体を有し、当該リング本体の内周面には、上記第一開口と第二開口とを結ぶ方向に突条部又は溝条部が設けられており、上記第一開口に傘を石突側から挿入させるとともに当該傘の柄の方向に上記リング本体を移動させることにより当該傘の傘布を束ねることが可能な傘ホルダーであって、上記リング本体の外周面には、一端がリング本体の第一開口側に接続固定されるとともに他端側が第二開口側に延設され、当該他端側を自由端としたフックが設けられたことを特徴とするものである。
【０００９】
上記構成のフックを設けることにより、傘をリング本体に挿通した状態で、当該フックを介して使用者のカバンやランドセル等の任意の場所に傘ホルダーを係合することが可能となる。そのため、傘を手に持つ必要がなくなり両手を自由に使えるようになることから、傘を所持しつつも他の手作業を容易に行うことができるとともに、転倒の際にも手が使えるため安全である。
【００１０】
また、上記フックには、上記他端側をリング本体とは反対側に折り返した折り返し部が設けられたものであってもよい。このように折り返し部を設けることにより、傘ホルダーをフックの上から輪ゴムのような環状弾性部材にて巻き回した際に、当該環状弾性部材がフックからずれ落ちることを防ぐことが可能となりカバン等に対して傘ホルダーの係合状態を良好に維持することができる。
【００１１】
また、上記リング本体の外周面には、上記フックの対向位置に突出部を備えたものであってもよい。このように突出部を設けることにより、上記の如く環状弾性部材を傘ホルダーに巻き回した際に当該環状弾性部材が第一開口側に移動することを防止することができる。
【００１２】
また、上記突出部は、折り返し部の自由端側の先端位置よりも第一開口側に位置するものであってもよい。上記位置に突出部を設けることにより、環状弾性部材を当該突出部と上記折り返し部との間に配置することができるため、上記環状弾性部材を上記突出部と折り返し部との間に安定的に配置することが可能となる。
【００１３】
また、上記リング本体の第一開口側には、この第一開口の開口端縁に向かって内径が拡径された拡径部を備えるとともに、当該拡径部に、上記突条部又は溝条部の一端が到達するよう形成されたものであってもよい。上記の如く突条部又は溝条部を設けることにより、傘布に付着した水滴の水切りを行いながら当該傘布を束ねることが可能となる。また、上記の如く上記第一開口側に拡径部を設けることにより、第一開口側を上にして把持した場合に、当該拡径部により把持した手が一部おおわれるため、リング本体に挿通する傘に付着した水滴によって把持した手が濡れることを防ぐことができる。また第一開口側に拡径部を形成することにより、第一開口側の開口端縁が広くなるため、当該端縁から傘をリング本体に挿通しやすいものとなる。
【００１４】
また、上記突条部又は溝条部の一端は、鋭角に形成されたものであってもよい。このように上記突条部又は溝条部の端部を鋭角に形成することにより、傘をリング本体の第一開口側から挿通する際に、突条部又は溝条部の一端に傘布が引っ掛かって破損したり、突条部又は溝条部の端部と傘布との摩擦により傘布を摩耗させたりする事態を防ぐことができる。
【００１５】
また、上記リング本体の第二開口側の内周面には、有底且つ第一開口側に開口した内周凹部が設けられたものであってもよい。このように第二開口側の内周に内周凹部を設けることにより、傘を第一開口側から挿通した際に、傘布の表面に付着した水滴がリング本体の内周面を伝って上記内周凹部に貯留可能となる。そのため、突条部又は溝上部によってかき取り切れずに傘布に付着した水を当該内周凹部に貯留することができるため、傘に傘ホルダーを装着した後に第二開口から水が滴下する事態を防ぐことが可能となる。
【００１６】
また、上記傘ホルダーは、弾性重合体により一体成型されたものであってもよい。このように弾性重合体により形成することにより、傘をリング本体に挿通する際に当該リング本体が弾性変形するため、傘を挿通しやすいものとなるとともに、傘をリング本体に適度な弾性力によって保持することができるため、保持力を向上させることができる。また本考案の傘ホルダーを一体成型することにより、部品の離脱等の故障や破損が生じるおそれがない。また本考案の弾性重合体としては、ゴム、熱可塑性エラストマー、熱硬化性エラストマー等を使用することができるが、特に熱可塑性エラストマーまたは熱硬化性エラストマーが好ましい。またゴムは軟質の高分子物質であって、天然の樹液から製造された天然ゴム及び人工的に合成された樹脂を用いた合成ゴムをいずれも含むものである。
【００１７】
また本考案は、上記本考案の傘ホルダーと、当該傘ホルダーの外周に巻回配置可能な環状弾性部材とを備えた傘ホルダーセットとして販売する等の取り扱いが可能なものである。
【００１８】
また上記傘ホルダーセットは、上記傘ホルダーに挿通配置可能な傘を備えたものであっても良い。
【考案の効果】
【００１９】
本考案は上記の如く、上記リング本体を上記傘に対し相対的に移動させることによって上記傘の傘布を束ねることができるとともに、上記突条部又は溝条部が設けられていることから、傘布の表面に付着した水を切ることができる。そのため、周囲の人や物を濡らすことなく円滑に傘布を束ねることができる。更に上記リング本体にフックを設けたものであるから、このフックをカバン、リュック、ランドセルなどに係合することにより、上記の如く傘布を水切り及び束ねた状態で、傘ホルダーを介して傘をカバン等に取り付けることが可能となる。上記の如き本考案によれば、傘を保持した傘ホルダーをカバン等に係合させた際、傘が使用者の衣服などに触れる位置となる場合があるが、上述のとおり傘布の表面に付着した水を切ることができるため、衣類等を濡らさずに傘を保持することができる。
【００２０】
そのため、使用者の両手がふさがることなく、支払いなどの手による作業を容易に行うことができるとともに、転倒時の危険性も回避することが可能となる。更に、カバン等に傘を鉛直方向に固定することが可能であり、これによって周囲の人に傘がぶつかる等の事態が生じにくいものとなる。更に、上記の如くカバン等に傘を取り付けることによって使用者が手に持つ必要がないことから、電車内に手すりなどに傘をかけたまま置き忘れてしまう等の事態を防ぐことができる。更に、このような傘の置き忘れを防止可能とすることにより、置き忘れ傘の廃棄本数を低減することができるとともに、傘の廃棄によるプラスチックゴミの問題を改善することが可能となるため、環境に配慮した製品を得ることができる。
【考案を実施するための形態】
【００２１】
［第一実施形態］
以下に図面を用いて本考案を説明する。図１は、本考案の実施形態１である傘ホルダー(1)を長軸方向に切断した断面図である。図２は、図１に示す傘ホルダー(1)のA-A線断面図であり、図３は、図１に示す傘ホルダー(1)のB-B線断面図である。図４は、実施形態１である傘ホルダー(1)を第一開口(2)側から観察した斜視図である。図５は、傘(5)を保持した実施形態１の傘ホルダー(1)を使用者のカバンに取り付けた状態の概念図である。図６は、実施形態１の傘ホルダー(1)を傘(5)に挿通する際の概念図である。
本実施形態の傘ホルダー(1)は図１に示す如く、両端にそれぞれ第一開口(2)と第二開口(3)とを備えた円筒形状のリング本体(4)を有している。そして図６に示すようにこのリング本体(4)の第一開口(2)に傘(5)を石突(6)側から挿入するとともに当該傘(5)の柄(7)の方向にリング本体(4)を移動させることにより、当該傘(5)の傘布(8)を束ねることができるものである。
尚、本考案に関し傘布とは、防水加工された織物などの布地からなる構成されたもの、および樹脂製のシート部材から構成されたもののいずれも含み、一般的な傘に用いられる傘布を広く包含する。
【００２２】
また上記リング本体(4)の内周面(10)には、上記第一開口(2)と第二開口(3)とを結ぶ方向、即ちリング本体(4)の長さ方向に突条部(11)が複数設けられており、この突条部(11)によって上記傘(5)の傘布(8)の表面に付着した水を、リング本体(4)を周方向に回しながら移動させることで除去することができる。そのため、本考案の傘ホルダー(1)は傘布(8)を束ねると同時に傘布(8)の水切りを可能としたものである。尚、本実施形態では上記の如くリング本体(4)の内周面(10)に突条部(11)を設けているが、他の異なる実施形態では溝条部を設けたものであっても良い。
【００２３】
本実施形態の傘ホルダー(1)の詳細な構成について以下に説明する。まずリング本体(4)は適度な厚みの円筒体であって、図１に示す如く両端に第一開口(2)と第二開口(3)とを備えている。またこのリング本体(4)は、図１、２に示す如く第一開口(2)側に、当該第一開口(2)の開口端縁(12)に向かって内径が拡径された拡径部(13)を備えている。これにより、第一開口(2)部の開口端縁(12)が広くなるため、当該開口端縁(12)から傘(5)をリング本体(4)に挿通しやすいものとなる。
【００２４】
また、上記リング本体(4)の第二開口(3)側には、図１に示す如く内周面(10)に内周凹部(14)を設けている。この内周凹部(14)は、第二開口(3)の開口端縁(15)から軸心方向に環状の底壁(16)を突設するとともに、この底壁(16)の先端から第一開口(2)側に垂直壁(17)を立ち上げて成るものである。これにより、この内周凹部(14)は有底で第一開口(2)側に開口した断面コ字型に形成されるものとなる。
【００２５】
また当該内周凹部(14)の垂直壁(17)の内径は特に限定されず、リング本体(4)に挿通する傘(5)の外径等を勘案して適宜決めることができる。そのため例えば、使用する傘(5)を止帯で束ねた状態の外径よりも、垂直壁(17)の内径をやや小さくすることにより、リング本体(4)に傘(5)を挿通した際に、単に止帯にて束ねた場合よりも傘布(8)を緊密に重ねあわせた状態で束ねることができる。そのため、傘(5)の外径を止帯にて束ねた場合よりもよりコンパクトにすることが可能となる。また、上記内周凹部(14)の垂直壁(17)によって傘布(8)が圧迫されることにより、傘布(8)に付着した水滴をより効果的にかき取ることができる。
【００２６】
またこのような内周凹部(14)を設けることにより、傘(5)を第一開口(2)側から挿通した際に、傘布(8)の表面に付着した水滴がリング本体(4)の内周面(10)を伝って上記内周凹部(14)に留まるものとなる。そのため、リング本体(4)の突条部(11)によってかき取り切れなかった傘布(8)の水を、当該内周凹部(14)に溜めることが可能となる。よって、傘(5)に傘ホルダー(1)を装着して水切りを行った後に、リング本体(4)の第二開口(3)部から更に水が滴下するという事態を防ぐことができる。
【００２７】
次に、上記突条部(11)について以下に説明する。本実施形態における突条部(11)は図１〜３に示す如く、上記第一開口(2)と第二開口(3)とを結ぶ方向に直線状に延びるとともに軸心側に突出している。また、図１、３に示す如く、この突条部(11)をリング本体(4)の内周面(10)に複数本、平行且つ等間隔に配置している。またこの突条部(11)の一端(20)は第一開口(2)の拡径部(13)に位置するとともに他端(21)は第二開口(3)の開口端縁(15)に位置している。更に第一開口(2)側の一端(20)は、その先端(22)が鋭角となるよう形成されている。尚、突条部(11)の数は特に限定されない。
【００２８】
上記の如くリング本体(4)の内周面(10)に突条部(11)を設けることにより、リング本体(4)に挿入した傘(5)をリング本体(4)に対し相対的に円周方向に回動させることにより、当該突条部(11)が傘布(8)に当接しながら傘布(8)に付着した水滴をかき取ることが可能となる。また本実施形態ではリング本体(4)を弾性変形可能な弾性重合体にて形成しているため、当該リング本体(4)の外周を把持して軸心方向に弾性変形させることによって、突条部(11)を傘布(8)に確実に当接させることができる。よって、傘布(8)に付着した水滴を更に効果的にかき取ることが可能となる。また上記の如く、第一開口(2)側の一端(20)が鋭角となるよう形成しているため、傘(5)をリング本体(4)の第一開口(2)側から挿通する際に、傘布(8)が当該突条部(11)の一端(20)に引っ掛かって破損したり、当該突条部(11)の端部と傘布(8)との摩擦により傘布(8)を摩耗したりするという事態を防ぐことができる。
【００２９】
そして、上記の如く傘(5)をリング本体(4)に挿通することにより、当該リング本体(4)の突条部(11)を通過する際に、傘布(8)が一方方向に巻き束ねられるとともに傘布(8)の表面に付着した水滴が掻き取られ、次いで内周凹部(14)を通過する際に、更に水滴が掻き取られるとともに傘(5)をできるだけコンパクトにした状態で束ねることができる。尚、また、少なくともリング本体(4)がエラストマーなどの柔軟性のある部材で構成される態様の本考案によれば、リング本体(4)に挿入した傘(5)をリング本体(4)に対し相対的に円周方向に回動させる際、リング本体(4)を把持する力を強くすることによって、リング本体(4)を変形させ、突条部(11)を傘布(8)に強く押し当てることができる。これによって、より良好に傘布(8) の表面に付着した水滴を掻き取ることができる。
【００３０】
また上記の如く形成したリング本体(4)の外周面には、図１に示す如く一端(24)がリング本体(4)の第一開口(2)側に接続固定されるとともに他端(25)側が第二開口(3)側に延設され、当該他端(25)側を自由端としたフック(26)が設けられている。このフック(26)は長方形状の平板であって、図４に示す如く長さ方向の一端(24)を第一開口(2)側に一体的に接続固定するとともに、図１に示す如くリング本体(4)の外周面から一定の間隔を介してリング本体(4)の外周面と平行を保ちながら第二開口(3)方向に延設したものである。ただし本考案は、フック（26）の形状が長方形状の平板以外の形状である態様を包含する。フック（26）は、由端側からカバン等の任意の部位に係合させることが可能な形状であればよい。
【００３１】
このようにリング本体(4)の外周面にフック(26)を設けることにより、傘(5)をリング本体(4)に挿通した状態で、図５に示す如く当該フック(26)を使用者(27)のカバン(28)やランドセル等の任意の場所に係合することにより、傘ホルダー(1)を使用者(27)のカバン(28)等に取り付けることが可能となる。そのため、傘(5)を手に持つ必要がなくなり両手を自由に使えるようになることから、傘(5)を所持しつつも他の手作業を容易に行うことができるとともに、転倒した際にも両手が使えるため安全である。
【００３２】
ここで、このフック(26)をカバン(28)等に係合する場合にフック(26)が離脱しないよう係合を確実なものとするためには、図５に示す如くリング本体(4)とフック(26)の外周に輪ゴムなどの環状弾性部材(30)を巻き回すことが有効である。即ち、カバン(28)等にフック(26)を係合した後、フック(26)の下端側にて環状弾性部材(30)を傘ホルダー(1)に巻き回すことにより、フック(26)が環状弾性部材(30)によってリング本体(4)側に付勢されるものとなる。そのため、フック(26)がカバン(28)等から離脱しにくいものとなり、係合状態を良好に保持することができる。
【００３３】
また本実施形態では図１に示す如く、フック(26)の他端(25)側を自由端とし、この他端(25)を第一開口(2)側に折り返すことにより、折り返し部(33)を形成している。そのため、図１の一点鎖線に示す如く環状弾性部材(30)を折り返し部(33)の内方に配置することにより、当該環状弾性部材(30)がフック(26)の先端(32)から外方にずれ落ちることを防ぐことが可能となる。
【００３４】
また図５に示す如く、上記リング本体(4)の外周面には、上記の如く形成したフック(26)の対向位置に、リング本体(4)の円周方向に長尺な突出部(31)を設けている。この突出部(31)は、図１に示す如く折り返し部(33)の自由端側の先端(32)位置よりも第一開口側に配置されている。このような位置に突出部(31)を設けることにより、環状弾性部材(30)をリング本体(4)に巻き回した際に、当該突出部(31)と上記折り返し部(33)との間に当該環状弾性部材(30)を配置することができる。そのため、環状弾性部材(30)が第一開口(2)部側にずれ上がることを防ぐことが可能となり、当該環状弾性部材(30)を折り返し部(33)の内方に安定的に配置することができるため、フック(26)のカバン(28)等への係合状態を更に良好に保持することができる。
【００３５】
また上記の如くリング本体(4)の外周面に設けたフック(26)の対向位置には、図１、４に示す如く筒状体(34)が設けられている。この筒状体(34)は、図１に示す如くリング本体(4)と平行に鉛直方向に設けられた係合穴(35)が形成されており、この係合穴(35)には、図５に示す如くチャームなどのアクセサリー(36)に設けられた係合棒(37)を挿入配置可能としている。そのため、図５に示す如く使用者の好みのアクセサリー(36)を筒状体(34)に設けることにより、このアクセサリー(36)を取り付けた傘ホルダー(1)の傘(5)が自身のものであるという目印にもなるとともに使用者(27)にとって愛着がわくものとなる。尚、図示省略するが、筒状体（34）は、係合案（35）の替りにを鉛直方向に貫通した貫通孔を有していても良い。当該貫通孔に紐などのを貫通させてチャームなどを取り付けることができる。
【００３６】
また上記の如き構成の傘ホルダー(1)は、弾性重合体により一体成型されたものである。このように弾性重合体により形成することにより、傘(5)をリング本体(4)に挿通する際に当該リング本体(4)が弾性変形するため、傘(5)を挿通しやすいものとなるとともに、傘(5)をリング本体(4)に適度な弾性力によって保持することができるため、リング本体(4)による傘(5)への保持力を向上させることができる。また一体成型することにより、部品の離脱等の故障や破損が生じるおそれがない。そのため、傘ホルダー(1)の故障や破損が生じることなく長期間にわたって使用することができる。
【００３７】
尚、本実施形態の弾性重合体としては、ゴム、熱可塑性エラストマー、熱硬化性エラストマー等を使用することができるが、特に熱可塑性エラストマーまたは熱硬化性エラストマーが好ましい。またゴムは軟質の高分子物質であって、天然の樹液から製造された天然ゴム及び人工的に合成された樹脂を用いた合成ゴムをいずれも含むものである。
【００３８】
尚、本実施形態では上記の如く弾性重合体により形成しているが、他の異なる実施形態ではこれに限らず、その他の樹脂材料または金属材料など所望の形状に成形容易な材料を適宜選択して使用することができる。また樹脂材料としては、たとえば塩化ビニル樹脂、ポリプロピレン系樹脂、ポリエチレンテレフタレート樹脂等の合成樹脂を用いることができる。また、金属材料としては、防錆加工の施された適宜の金属材料、または軽量でかつ耐錆性のあるステンレスなどを選択することができるが、これに限定されない。
【００３９】
上記の如く形成した本実施形態の傘ホルダー(1)の使用態様について以下に説明する。まず、図６の上段に示す如く、傘(5)の石突(6)側を上方に向けた状態で、当該石突(6)を第一開口(2)に挿入し、次いで図６中段の如く傘(5)を傘ホルダー(1)に対して相対的に回転させながら、リング本体(4)を当該傘(5)の柄(7)の方向に移動させる（図６下段参照）。尚、この時の回転方向は、一般的な傘(5)では、第二開口(3)側を上方に配置した状態で、当該第二開口(2)の上面視において傘ホルダー(1)が傘(5)に対し相対的に時計回りとなるよう回転させるとよい。ここで相対的に回転させるとは、傘ホルダー(1)と傘(5)との位置関係が周方向に異なるよう回転させることをいい、傘(5)を固定し傘ホルダー(1)を時計回りの方向に回転させてもよいし、傘ホルダー(1)を固定し傘(5)を反時計回りの方向に回転させてもよいし、傘ホルダー(1)と傘(5)とを同時に周方向の反対方向に回転させてもよい。
【００４０】
このように傘ホルダー(1)及び傘(5)を互いに反対方向に相対的に回転させるとともに傘ホルダー(1)を柄(7)方向に移動させることによって、傘布(8)がリング本体(4)の内周面(10)に設けた複数の突条部(11)に連続的に当接し、傘布(8)が傘(5)の中棒に巻かれるとともに、傘布(8)の表面に付着した水滴が突条部(11)によって掻き取られる。そして、傘ホルダー(1)を傘(5)の柄(7)付近の適宜の位置で止めることにより、図６に示す如く、傘(5)が束ねられた傘布(8)表面における水滴がないか、または少なく、かつ図に示す如く綺麗に束ねられた状態となる。
【００４１】
またこのように傘(5)を挿通配置した傘ホルダー(1)を、図５に示す如く使用者(27)のカバン(28)に係合配置する。即ち傘ホルダー(1)には、図に示す如くあらかじめ第二開口(3)とフック(26)との間に環状弾性部材(30)を巻回配置しておく。次に、このフック(26)を図に示す如くカバン(28)のベルトなど、任意の位置に係合する。この状態で環状弾性部材(30)をフック(26)の折り返し部(33)の内方に配置する。このとき、当該環状弾性部材(30)を突出部(31)の下面側に配置することで、環状弾性部材（30）が第一開口(2)部側にずれ上がることを防ぐことが可能となり、フック(26)のカバン(28)への係合状態を安定的に保持することができる。
【００４２】
本実施形態の傘ホルダー(1)は上記の如く、傘布(8)の表面に付着した水滴が除去された状態で使用者(27)のカバン(28)等に係合固定することができるため、使用者(27)の両手がふさがることなくレジでの支払い等の作業を容易に行うことができるとともに、両手を自由に使うことができるため転倒時等の際にも即座に対応することができ、危険を回避することが可能となる。更に、図に示す如く傘(5)をカバン(28)等に鉛直方向に係合固定することができるため、周囲の人に傘(5)がぶつかる等の事態が生じにくいものとなる。
【００４３】
また、上記の如くカバン(28)等に傘(5)を取り付けることができ、手に持つ必要がないことから、手すり等に傘(5)をかけたまま置き忘れてしまう等の事態を防ぐことができる上に、傘(5)の置き忘れを防止することができるため、置き忘れ傘(5)の廃棄本数を低減することが可能となる。よって、傘(5)の廃棄によるプラスチックゴミの問題を改善することができ環境に配慮することが可能となる。
【図面の簡単な説明】
【００４４】
【図１】本考案の実施形態１を示す断面図である。
【図２】図１のA-A線断面図である。
【図３】図１のB-B線断面図である。
【図４】実施形態１の第一開口側の斜視図である。
【図５】実施形態１の傘ホルダーを使用者のカバンに取り付けた状態の概念図である。
【図６】実施形態１の傘ホルダーを傘に挿通する際の概念図である。
【符号の説明】
【００４５】
１  傘ホルダー
２  第一開口
３  第二開口
４  リング本体
５  傘
６  石突   
７  柄
８  傘布
１０  内周面
１１  突条部
１３  拡径部
１４  内周凹部
２０  一端（突条部）
２１  他端（突条部）
２４  一端（フック）
２５  他端（フック）
２６  フック
３０  環状弾性部材
３１  突出部
３３  折り返し部
【図１】
0003235299.tif 000003
【図２】
0003235299.tif 000004
【図３】
0003235299.tif 000005
【図４】
0003235299.tif 000006
【図５】
0003235299.tif 000007
【図６】
0003235299.tif 000008